(57)【要約】【課題】現場における据付及び壁柱へのコンクリート一体化作業が、容易に行なえるプレキャストコンクリート階段を提供する。【解決手段】上下端部に踊場６，７を一体に有し、一方の踊場６は建物の廊下に接続し、他方の踊場７は中間踊場として別のプレキャストコンクリート階段３の中間踊場１２と接続するプレキャストコンクリート階段の支持構造である。廊下側踊場６の端部を廊下Ａｎ＋１の先端部で支持することにより、階段２の略廊下側半分の荷重を受け持つ。中間踊場７の側端部を、壁柱１に形成されたキャンチ小梁１４に支持させると共に、中間踊場７に最も近い段部Ｓ１又はこの段部Ｓ１と次の段部Ｓ２を、各段部Ｓ１，Ｓ２に内蔵されて壁柱側に突出するアンカー鉄筋２９と共に支持小梁として壁柱１に支持させることにより、階段２の略中間踊場側半分の荷重を受け持つ。【選択図】  図２
2004263517.tif 000002
【特許請求の範囲】
【請求項１】
上下端部に踊場を一体に有すると共に壁柱に沿って設置されるプレキャストコンクリート階段であって、一方の踊場は建物の廊下に接続し、他方の踊場は中間踊場として別のプレキャストコンクリート階段の中間踊場と接続するプレキャストコンクリート階段の支持構造において、
廊下側の踊場の端部を廊下の先端部で支持することにより、階段の略廊下側半分の荷重を受け持ち、
中間踊場の側端部を、壁柱に形成されたキャンチ小梁に支持させると共に、中間踊場に最も近い段部又はこの段部と次の段部を、各段部に内蔵されて壁柱側に突出するアンカー鉄筋と共に支持小梁として壁柱に支持させることにより、階段の略中間踊場側半分の荷重を受け持つようにしていることを特徴とするプレキャストコンクリート階段の支持構造。
【請求項２】
請求項１記載のプレキャストコンクリート階段の支持構造において、
中間踊場に最も近い段部又はこの段部と次の段部に内蔵されて壁柱側へ突出するアンカー鉄筋は、階段の側端面から直線状に突出すると共に、先端部には鉄筋径方向に拡大する定着体を設けてあることを特徴とするプレキャストコンクリート階段の支持構造。
【発明の詳細な説明】
【０００１】
【発明の属する技術分野】
本願発明は、屋外階段もしくは室内階段として適用可能なプレキャストコンクリート階段の支持構造に関し、特に、段板部の上下端部にそれぞれ踊場を一体に有し、一方の踊場は建物の廊下に接続し、他方の踊場は中間踊場として別のプレキャストコンクリート階段の中間踊場と接続するプレキャストコンクリート階段の支持構造に関する。
【０００２】
【従来の技術及び発明が解決しようとする課題】
従来のプレキャストコンクリート階段として、前記のように段板部の上下端部に踊場を一体成形したもの、あるいは踊場と共に壁柱も段板部と一体成形したもの等があり、段板部と一体成形する部分を増やすことにより、現場でのコンクリート打設作業を減らし、工期の短縮を図っている。
【０００３】
しかし、壁柱までも含めて総ての階段部材をプレキャストコンクリートとして成形する場合には、プレキャスト時の型枠が複雑化すると共に、全体の重量が大きくなり過ぎ、現場では大型揚重機を使用して吊り上げなければならず、製造コスト及び施工コストが高くなると共に、型枠の再使用の範囲が減少する。
【０００４】
これに対し、段板部と踊場をプレキャストコンクリートとして先に一体成形し、壁柱を現場における後打ちコンクリートで成形し、段板部と一体化させる場合には、コスト的なメリットは大きくなる。
【０００５】
段板部の上下端部に踊場を一体に有するプレキャストコンクリート階段の支持構造は、従来、図１４に示すようにプレキャストコンクリート階段１００の各段部の側端面から定着用のアンカー鉄筋１０１を突出させ、このアンカー鉄筋１０１の突出部分を壁柱１０２内に埋め込むことにより、プレキャストコンクリート階段１００の全荷重を、壁柱１０２により片持支持させている。
【０００６】
図１４の定着用のアンカー鉄筋１０１は、壁柱（仮想線）１０２への定着長さを確保するために下方にＬ字形に折り曲げてあるが、Ｌ字形のアンカー鉄筋１０１を壁柱用鉄筋組立体１１０内に側方から挿入することは現実として困難であり、そのため、必然的に壁柱用鉄筋組立体１１０の組立ては、プレキャストコンクリート階段１００を所定位置に取り付けた後に行なうことになり、現場での作業が煩雑化する。
【０００７】
また定着用アンカー鉄筋１０１を折り曲げる場合は、耐荷重性を考えると下方に折り曲げるのが最も好ましいが、プレキャストコンクリート階段１００の最下段部付近のアンカー鉄筋１０１は、下方に折り曲げていると図１３のように下側階の壁柱１０２の上端面１０２ａと干渉し、設置不可能となる。そのため、矢印のように水平方向側へ曲げ直さなければならず、鉄筋の組立作業に手間がかかると共に鉄筋の強度及び対荷重性も低下する。なお、上記のようなＬ字形に折り曲げた構造の他に、アンカー鉄筋の突出部をコの字形に折り曲げ、２本の鉄筋を連結した構造もあるが（特許文献１参照）、組立済みの壁柱用鉄筋組立体内に側方から挿入するのは不可能であり、Ｌ字形の場合と同様に、現場での作業が複雑化する。
【０００８】
【特許文献１】
特開平５−１１８１０７号公報。
【０００９】
【発明の目的】
本願発明の目的は、上下端部に踊場を一体に有するプレキャストコンクリート階段を、現場にて支持する場合において、支持強度を十分に維持すると共に現場での取付作業を容易にすることである。
【００１０】
【課題を解決するための手段】
前記課題を解決するため、本願請求項１記載の発明は、上下端部に踊場を一体に有すると共に壁柱に沿って設置されるプレキャストコンクリート階段であって、一方の踊場は建物の廊下に接続し、他方の踊場は中間踊場として別のプレキャストコンクリート階段の中間踊場と接続するプレキャストコンクリート階段の支持構造において、廊下側の踊場の端部を廊下の先端部で支持することにより、階段の略廊下側半分の荷重を受け持ち、中間踊場の側端部を、壁柱に形成されたキャンチ小梁（跳ね出し小梁）に支持させると共に、中間踊場に最も近い段部又はこの段部と次の段部を、各段部に内蔵されて壁柱側に突出するアンカー鉄筋と共に支持小梁として壁柱に支持させることにより、階段の略中間踊場側半分の荷重を受け持つようにしていることを特徴としている。
【００１１】
請求項２記載の発明は、請求項１記載のプレキャストコンクリート階段の支持構造において、中間踊場に最も近い段部又はこの段部と次の段部に内蔵されて壁柱側へ突出するアンカー鉄筋は、階段の側端面から直線状に突出すると共に、先端部には鉄筋径方向に拡大する定着体を設けてあることを特徴としている。
【００１２】
【発明の実施の形態】
［取付後の全体構造］
図１〜図１１は、本願発明にかかるプレキャストコンクリート階段（以下、「ＰＣ階段」と記載する）を、建物外部に構築される折返し構造の複合階段に適用した例である。図１は途中の階まで構築した状態の建物の側面図であり、建物Ｂの外側廊下Ａｎ−１，Ａｎ，Ａｎ＋１，…の外方には、各階の梁（跳ね出し梁）４の先端に連結するように鉄筋コンクリート製の壁柱（壁板）１が立設され、壁柱１の両側面にプレキャストコンクリート階段（以下「ＰＣ階段」という）２，３が配置されている。折返し構造であるので、上下に隣合う階の間に、上下２つの階段２，３がそれぞれ配置されている。たとえば図３の平面図に示すように、ｎ階の廊下Ａｎとｎ＋１階の廊下Ａｎ＋１の間に、上側の廊下Ａｎ＋１につながる上側ＰＣ階段２と、下側の廊下Ａｎにつながる下側ＰＣ階段３が配置されている。各ＰＣ階段２，３の側端部にはそれぞれコンクリート製の手摺１５，１６が取り付けられ、また、中間踊場７，１２の階段長さ方向の端部にもコンクリート製の手摺１７が取り付けられている。
【００１３】
［各ＰＣ階段の具体的構造］
図４は上側ＰＣ階段２の工場におけるコンクリート成形時の状態を示しており、踏み面８及びけ込み面９からなる複数の段部を備えた段板部５と、該段板部５の上端にコンクリートにより一体成形された水平な廊下側踊場６と、段板部５の下端にコンクリートにより一体成形された水平な中間踊場７とから構成されている。すなわち、両踊場６，７を一体にコンクリート成形してなる踊場付ＰＣ階段である。
【００１４】
段板部５の階段幅方向の両端部には、最上段から最下段の段部まで、各段部の段鼻Ｐを通過する直線状の上面３６ａ、３７ａを有するささら桁３６，３７がそれぞれコンクリートで一体成形されている。
【００１５】
上端の廊下側踊場６の先端からは、廊下内に埋め込むためのアンカー鉄筋２５が多数突出しており、各段部の壁柱取付側の端面には、各段部毎にそれぞれ定着用の鉄筋２９，３０が突出している。
【００１６】
図６は上側ＰＣ階段２の下半部の拡大斜視図であり、上記鉄筋２９，３０のうち、中間踊場７に最も近い段部Ｓ１と次の段部Ｓ２、すなわち最下段部Ｓ１と次の段部Ｓ２には、これら２つの段部Ｓ１，Ｓ２を階段下半部支持用の小梁として利用するために、太径（たとえば１６ｍｍφ）のアンカー鉄筋２９が３本ずつ埋め込まれ、壁柱側へ直線状に突出している。下から３段目以上の残りの段部には上記アンカー鉄筋２９よりは細い径（たとえば１３ｍｍφ）の鉄筋３０が１本ずつ埋め込まれ、壁柱側に突出している。
【００１７】
また、段板部５の裏面に近い部分には、各段部の前記鉄筋２９，３０と平行に、細い径の鉄筋３０が階段長さ方向に間隔を置いて埋め込まれ、突出している。
【００１８】
各アンカー鉄筋２９及び鉄筋３０は直線状に延び、それらの突出端部にはそれぞれ定着板３１が螺着されており、また、各鉄筋２９，３０の突出幅Ｌ１は壁柱１の幅Ｌ２内に納められ、これにより鉄筋定着板３１に対して所定のコンクリートかぶり厚さを確保してある。各鉄筋２９，３０としては外周面におねじを形成した異形鉄筋が用いられており、一方定着板３１は、内周にめねじを有する有底筒形のスリーブ本体３３と、該スリーブ本体３３の端部に一体成形されたつば部３４から構成されており、該つばぶ部３４は鉄筋径外方に円盤状に広がっている。定着板３１と定着用鉄筋２９，３０の隙間にはグラウト剤が注入され、これにより、定着板３１の内周面と鉄筋２９，３０との隙間を埋めると共に、定着板３１の固定を強固にしてある。なお、定着板３１には接着剤逃がし孔３５が形成されている。
【００１９】
定着板３１は、構造的に公の試験機関で認定を受けた材料及び構造としているが、その他の方式、たとえば鋼製帯板、鉄筋端部の瘤等、鉄筋径よりも外方に拡張して定着効果を発揮する部材を定着板として使用することも可能である。
【００２０】
図５は下側ＰＣ階段３の斜視図であり、基本的構造は前記上側ＰＣ階段２と同様で、複数の段を有する段板部１０の上下端に、それぞれ踊場１２，１１をコンクリートで一体成形してあるが、下端踊場１１が廊下側、上端踊場１２が中間踊場となっている。下端廊下側踊場１１の先端の下面には、廊下に載せるための断面Ｌ字形の取付座１９が形成されている。
【００２１】
各段部の壁柱取付側の端面には、これも上側ＰＣ階段２と同様に、各段部毎にそれぞれ定着用の鉄筋２９，３０が突出しており、最も中間踊場１２に最も近い段部Ｓ１と次の段部Ｓ２、すなわち最上段部Ｓ１と次の段部Ｓ２には、これら２つの段部Ｓ１，Ｓ２を階段上部支持用の小梁として利用するために、太い径（たとえば１６ｍｍφ）のアンカー鉄筋２９が３本ずつ埋め込まれ、壁柱側へ直線状に突出している。上から３段目以下の段部には上記アンカー鉄筋２９よりは細い径（たとえば１３ｍｍφ）の鉄筋３０が１本ずつ埋め込まれ、壁柱側に突出している。
【００２２】
また、段板部５の裏面に近い部分には、各段部の前記鉄筋２９，３０と平行に、細い径の鉄筋３０が階段長さ方向に間隔を置いて埋め込まれ、突出している。
【００２３】
各鉄筋２９，３０の先端部には、図７に示すように定着体として定着板３１がそれぞれ螺着されている。定着板３１の固定構造は上側ＰＣ階段２の場合と同様であるので、重複説明は省略する。
【００２４】
［各ＰＣ階段の支持構造］
図２は図１の手摺１５，１６，１７を除いて示す斜視図であり、両ＰＣ階段２，３が工場で予め成形されたものであるのに対し、壁柱１は現場でコンクリート成形されたものであり、各階間の上下方向中間位置付近には、外方へ水平に突出するキャンチ小梁１４が壁柱１と一体にコンクリート成形されている。
【００２５】
図７は下側ＰＣ階段３の下端部の支持構造を示しており、下側ＰＣ階段３の下端廊下側踊場１１の先端取付座１９を、廊下Ａｎの先端部に形成された段面２０に載せ、取付座１９に固着された金属アングル部材２１と、廊下Ａｎの段面２０に固着された金属片２２とを溶接で接合し、かつ、廊下Ａｎの先端部と踊場１１の先端との間にコンクリートを打設することにより、踊場１１の先端部を廊下Ａｎと一体化支持している。この支持構造により、下側ＰＣ階段３の略下半部の荷重を受け持っている。
【００２６】
図８は、上側ＰＣ階段２の上端部の支持構造を示しており、上端廊下側踊場６を廊下Ａｎ＋１の先端面に突き合わせると共に、廊下側踊場６から突出する鉄筋２５を廊下Ａｎ＋１内で廊下用鉄筋２６と重ね合わせ、廊下Ａｎ＋１のコンクリート打設時に廊下Ａｎ＋１と結合する。この支持構造により、上側ＰＣ階段３の略上半部の荷重を受け持っている。
【００２７】
図９は図１のＩＸ−ＩＸ断面拡大図であり、キャンチ小梁１４による各中間踊場７，１２の支持構造を示している。上下のＰＣ階段２，３の中間踊場７，１２は同一高さに揃えられ、キャンチ小梁１４の両側の段部上に載せられた状態となっており、キャンチ小梁１４のコンクリート成形時に、両中間踊場７，１２を一部呑み込むようにコンクリート成形することにより、キャンチ小梁１４と両中間踊場７，１２の一側端部を結合する。
【００２８】
図６は前述のように上側ＰＣ階段２の下端部の拡大斜視図であり、最下段部Ｓ１及び次の段部Ｓ２を小梁として利用する支持構造を示している。すなわち、最下段部Ｓ１及び次の段部Ｓ２から突出する定着板付アンカー鉄筋２９を、壁柱１内に埋め込んである。このように最下段部Ｓ１及び次の段部Ｓ２を小梁として利用すると共に前述のようにキャンチ小梁１４により中間踊場７の側端部を支持することにより、上側ＰＣ階段２の略下半部の荷重を受け持っている。
【００２９】
前記図５に示す下側ＰＣ階段３においても、最上段部Ｓ１及び次の段部Ｓ２を小梁として利用するために、それらの段部Ｓ１，Ｓ２から突出する定着板付アンカー鉄筋２９を、壁柱１内に埋め込んである。このように最上段部Ｓ１及び次の段部Ｓ２を小梁として利用すると共に前述のようにキャンチ小梁１４により中間踊場１２の側端部を支持することにより、下側ＰＣ階段３の略上半部の荷重を受け持っている。
【００３０】
［施工方法］
前記支持構造の欄で詳しく説明している内容については、簡略して説明する。（１）プレキャスト工程
図４及び図５に示すように、段板部５，１０の上下端にそれぞれ踊場６，７、１１，１２を一体に有する上下の各ＰＣ階段２，３を、予め工場内において必要数コンクリートにより製造しておく。この時製造されるＰＣ階段２，３には、少なくとも中間踊場７，１２に最も近い段部Ｓ１及び次の段部Ｓ２に略水平な太径の定着用アンカー用鉄筋２９が複数本埋め込まれると共に、各アンカー鉄筋２９の直線状突出部の先端に定着板３１がそれぞれ固着されている。
【００３１】
（２）搬送工程
上記のように工場内で予めコンクリートにより一体成形された上下のＰＣ階段２，３を建築現場へ搬送する。アンカー鉄筋２９及び鉄筋３０は、壁柱幅の範囲内において直線状に形成されているので、従来の図１３及び図１４のように、Ｌ字形の折れ曲がったアンカー鉄筋を有するＰＣ階段に比べると、積み降ろし作業に手間がかからず、搬送し易い。
【００３２】
（３）壁柱用鉄筋組立工程
図２において、壁柱用鉄筋３９を所定位置に組み立てる。すなわち、垂直鉄筋及び水平鉄筋を組み立てる。
【００３３】
（４）階段据付及び型枠加工工程
壁柱１及びＰＣ階段２，３は、原則的には下層階から１階毎に構築してゆく。たとえば図２はｎ＋１階まで構築した状態を示しており、壁柱１の上端はｎ＋１階の廊下Ａｎ＋１と同じ高さまで構築され、壁柱用鉄筋３９が上方に突出している。かかる状態から、ｎ＋１階からｎ＋２階までの壁柱１を成形すると共に上下階段２，３を据え付けることになる。
【００３４】
なお、以下の説明は、図１及び図２を効率よく利用するために、ｎ階まで構築した状態からｎ＋１階までの階段を構築する場合を説明する。
【００３５】
図１０のように上下の両ＰＣ階段２，３は、アンカー鉄筋２９及び鉄筋３０を未構築の壁柱１の鉄筋組立体３９内にそれぞれ側方から挿入し、図７に示すように、下側ＰＣ階段３については、下端廊下側踊場１１の先端取付座１９を、既に構築された廊下Ａｎの先端段面２０に載せ、溶接により金属片２２とアングル部材２１を結合し、図８に示すように上側ＰＣ階段２については、上端廊下側踊場６の先端部を、未だ形成されていない廊下Ａｎ＋１用の型枠５７に載せると共に、鉄筋２５を廊下用鉄筋２６に重ね合わせる。
【００３６】
次に図９に示すように、両ＰＣ階段２，３の中間踊場７，１２を、未だ形成されていないキャンチ小梁１４の形成範囲内に少しずつ侵入するように据え付ける。キャンチ小梁用型枠６０を仮想線で示しており、このキャンチ小梁用型枠６０の上面に、上記各中間踊場７，１２の先端部を載せた状態となっている。
【００３７】
上記ＰＣ階段２，３の据付け後、あるいは並行して、前述のようにＡｎ＋１階の廊下用型枠５７を組み立てると共に、壁柱用鉄筋組立体３９を取り囲むように壁柱用型枠を組み立て、また、キャンチ小梁用型枠６０を組み立てる。
【００３８】
壁柱用型枠を組み立てる際には、図１１に示すように、下側ＰＣ階段３は、その壁柱取付側ササラ桁３６の幅Ｗの１／２程度を壁柱形成空間内に入り込ませ、ササラ桁３６の残り１／２の厚み部分の上面に壁柱用型枠５０を載せて、組み立てる。壁柱用型枠５０は、図示しないが幅方向に対向配置された他の壁柱用型枠とセパレータ５２によって連結され、位置決めされている。壁柱用型枠５０は階段長さ方向に延びる押えパイプ５１により押えられており、壁柱用型枠５０に設けられたホームタイ５３に、押え板５４を介して楔状締付金具５５を差し込み、くさび作用により押え板５４、パイプ５１を介して型枠５０を押え付けている。
【００３９】
上側ＰＣ階段２の壁柱側ささら桁３６に対しても同様に、壁柱用型枠５０を載せる。
【００４０】
（５）現場でのコンクリートの打設
図１１のような壁柱用型枠５０内及び図９のようなキャンチ小梁用型枠６０内に生コンクリートを流し込み、壁柱１及びキャンチ用小梁１４をコンクリート成形する。この場合、図１１のように壁柱用型枠５０はササラ桁３６の直線状上面に載せるので、型枠５０を段々形状に加工する必要がなく、型枠を簡素化できると共に、製造が容易になる。また、コンクリート打設時に生じる側圧力に対しても、堅固な状態で対応できる。
【００４１】
図８において、上側ＰＣ階段２の上端廊下側踊場６については、廊下Ａｎ＋１用の型枠５７内にコンクリートを流し込む。また、図７において、下側階段３の下端廊下用踊場１１の先端と既に構築されている廊下Ａｎの間にもコンクリートを流し込む。
【００４２】
（６）コンクリートの養生
一定期間養生し、上記各個所のコンクリート生成部分を完成させる。
【００４３】
（７）型枠の解体
型枠解体時、図１１のように壁柱用型枠５０は、直線状のササラ桁３６に載せてあるので、容易に取り外すことができる。
【００４４】
（８）手摺の取付け
設置後の各ＰＣ階段２，３の残りのササラ桁３７上に図１のようにそれぞれコンクリート製の手摺１５，１６を載せ、適当な取付金具により固定する。各手摺１５、１６の下端面は、ササラ桁３７に合わせて直線状に形成されている。また、中間踊場７，１２の端部にも踊場用手摺１７を取り付ける。
【００４５】
【その他の実施の形態】
（１）前記実施の形態では、中間踊場に最も近い段部及び次の段部以外の段部の側端面から、細径の鉄筋を突出させて壁柱の埋め込ませているが、階段の荷重を受けるための鉄筋としては、最も中間踊り場に近い段部及び次の段部のみにアンカー鉄筋を突出させて壁柱に埋め込ませるだけでも十分であり、その他の段部の鉄筋は必ずしも突出させる必要はない。
【００４６】
（２）定着板３１をプレキャストコンクリート成形時にアンカー定着用鉄筋２９、３０に取り付けているが、建築現場において、ＰＣ階段を所定位置に据え付け後、定着板３１を定着用鉄筋２９，３０に固着することも可能である。
【００４７】
（３）定着体としては、図６のようなつば部３４を有するスリーブ状の定着板３１の他に、たとえば図１２のように定着用鉄筋２９、３０の突出先端部に、鉄筋２９、３０と一体に瘤６１を形成する構造でもよく、また、鉄製以外の定着板でも可能である。
【００４８】
（３）前記実施の形態では、プレキャストコンクリート製の階段を、壁柱の両側にそれぞれ片持ち状に配置する構造であるが、たとえば折曲がり構造の階段の周囲と階段間に壁柱があり、階段の両側を壁柱で支持する両持ち式構造の階段にも適用できる。
【００４９】
（４）図示の実施の形態では、中間踊場に最も近い段部と次の段部との、２つの段部を支持小梁として利用しているが、最も中間踊場に近い段部Ｓ１のみを支持小梁として利用する構造を採用することも可能である。
【００５０】
【発明の効果】
以上説明したように本願発明は、（１）段板部の上下端に踊場を一体に有し、折返し構造の階段に適用されるプレキャストコンクリート階段（ＰＣ階段）の支持構造において、ＰＣ階段の略廊下側半分の荷重は、廊下側踊場の先端部を廊下で支持することにより受持ち、略中間踊場側半分の荷重は、中間踊場に最も近い段部又はこの段部と次の段部を、たとえば太径の定着用アンカー鉄筋により小梁として利用すると共に、中間踊場の側端部を、壁柱の形成したキャンチ小梁に支持させることにより受け持つようにしているので、従来の図１３及び図１４のように、ＰＣ階段の側端面からＬ字形に突出させた定着用の鉄筋を利用して、壁柱にＰＣ階段の略全荷重を受け持たせる構造に比べ、ＰＣ階段の据付作業が簡単になると共に、従来の壁柱による片持ち支持に比べて耐荷重性及び耐震性も向上し、また、壁柱の鉄筋組立体への組付作業も簡単になる。
【００５１】
（２）中間踊場に最も近い段部又はこの段部と次の段部に内蔵されて壁柱側へ突出するアンカー鉄筋を、階段の側端面から直線状に突出させると共に、先端部に鉄筋径方向に拡大する定着体を設けてあると、現場での壁柱のコンクリート打設作業において、階段と壁柱を一体化する場合に、直線状の定着用アンカー鉄筋の突出部を、壁柱用鉄筋組立体内に支障なく挿入し、組み付けることができ、階段の据付作業に手間がかからなくなる。また、従来のように定着用鉄筋の折曲げ加工の必要はなくなり、直線状のまま運搬移動でき、運搬移動も楽である。
【図面の簡単な説明】
【図１】本願発明によるプレキャストコンクリート階段を据え付けた建物の側面部分図である。
【図２】手摺を取り外して示す図１の建物の斜視図である。
【図３】図１の折返し構造の階段の平面図である。
【図４】本願発明による上側プレキャストコンクリート階段の斜視図である。
【図５】本願発明による下側プレキャストコンクリート階段の斜視図である。
【図６】図４の上側プレキャストコンクリート階段の下端部分の拡大斜視図である。
【図７】図５の下側プレキャストコンクリート階段の下端部分の拡大斜視図である。
【図８】上側プレキャストコンクリート階段の上半部の縦断面拡大図である。
【図９】図１のＩＸ−ＩＸ断面拡大図である。
【図１０】図１のＸ−Ｘ断面拡大図である。
【図１１】コンクリート成形時の型枠取付状態を示す縦断面拡大図である。
【図１２】定着用アンカー鉄筋の変形例を示す縦断面拡大図である。
【図１３】従来例の側面図である。
【図１４】図１３のＸＩＶ−ＸＩＶ断面相当図である。
【符号の説明】
１  壁柱
２，３  プレキャストコンクリート階段
５，１０  段板部
６，１１  廊下側踊場
７，１２  中間踊場
８  踏み面
９  け込み面
１４  キャンチ小梁
２９  定着用のアンカー鉄筋
３０  定着用鉄筋
３１  定着板（定着体の一例）
３６  ササラ桁
５０  壁柱用型枠
Ｓ１，Ｓ２  段部
【図１】
2004263517.tif 000003
【図２】
2004263517.tif 000004
【図３】
2004263517.tif 000005
【図４】
2004263517.tif 000006
【図５】
2004263517.tif 000007
【図６】
2004263517.tif 000008
【図７】
2004263517.tif 000009
【図８】
2004263517.tif 000010
【図９】
2004263517.tif 000011
【図１０】
2004263517.tif 000012
【図１１】
2004263517.tif 000013
【図１２】
2004263517.tif 000014
【図１３】
2004263517.tif 000015
【図１４】
2004263517.tif 000016